(57)【要約】  本発明は風力発電機に関するものであり、より詳しくは、風を最大限活用し、風の抵抗を低減させて発電効率を向上させ、堅固であり、大型化が可能であり、製作および修理が簡単にできる多方向風力発電機に関するものである。  本発明の目的は、さまざまな方向から吹いてくる風にも発電することができ、また、発電時、風の抵抗を最大限低減させることで、発電機の効率を向上させることができ、上下支持フレームを支持する別の支持台を備え、風力発電機の堅固さを高めることができる多方向風力発電機を提供することにある。
2007526417.tif 000002
【特許請求の範囲】
【請求項１】
地面に垂直に設けられた中心軸上に回転可能となるように、挿入される多数の回動軸の外周面上に所定の半径を有して設けられる上下支持フレームと、前記上下支持フレームの外側に設けられて風により回動又は停止し、前記回動軸を回転させる回動翼板と、前記回動翼板の回動角度を制御する回動制御手段と、前記回動軸の下部に設けられて回動軸の回転力を伝達する駆動ギアと、前記駆動ギアの回転力を伝達される従動ギヤを備える従動ギア軸と、前記従動ギア軸の回転力を伝達されて発電する発電機を備えてなる多方向風力発電機において、多数の回動軸で連接する回動軸の回動翼板が、風によりそれぞれ逆方向に回動するように、前記回動翼板が前記回動制御手段によりそれぞれ他面が干渉するようにすることで、
前記回動軸の下部に設けられ、前記駆動ギア、従動ギア、従動ギア軸が内蔵されるギアケースと、
前記回動軸の下部に設けられた駆動ギアの上下面に位置し、一側が前記ギアケースの内面に固定されて前記回動軸を支持するベアリング体と、
前記連接する回動軸の回動翼板が風により逆方向に回動で連接する回動軸が逆方向回転時、逆方向に回転する回動軸の回転方向を変えるように、逆方向回動軸の下部駆動ギアに噛み合うアイドルギアをさらに含むことを特徴とする多方向風力発電機。
【請求項２】
前記中心軸の上端には、前記上下支持フレームの離脱を防止する離脱防止手段が、さらに設けられることを特徴とする請求項１記載の多方向風力発電機。
【請求項３】
前記上下支持フレームを支持し、堅固にする支持フレーム支持手段が、さらに設けられることを特徴とする請求項１記載の多方向風力発電機。
【請求項４】
前記支持フレーム支持手段は、
前記上下支持フレームを支持するように、一端は前記中心軸に回転可能に固定され、他端は前記上下支持フレームの上下部一側にそれぞれ固定される上下端支持台と、前記回動軸の外周面に沿って多数設けられた、前記上下支持フレームの間に設けられる「▼□▲」字形の補助支持フレームと、前記上下支持フレームの内外周面および前記補助支持フレームの内外周面に沿って設けられ、前記上下支持フレームの側方向を支持する支持横部材と、前記支持横部材が通る前記上下支持フレームおよび補助支持フレームの内側に設けられ、前記上下支持フレームおよび補助支持フレームの曲がることを防止する曲がり防止台からなることを特徴とする請求項３記載の多方向風力発電機。
【請求項５】
前記支持フレーム支持手段は、
前記上下支持フレームを支持するように、一端は前記中心軸に回転可能に固定され、他端は前記上下支持フレームの上下部一側にそれぞれ固定される上下端支持台と、前記上下支持フレームの内外周面に沿って設けられ、前記上下支持フレームの側方向を支持する支持横部材と、前記支持横部材が通る前記上下支持フレームの内側に設けられ、前記上下支持フレームの曲がることを防止する曲がり防止台を備え、前記支持横部材により前記回動翼板の回動が妨害されないように、前記回動翼板は多数個に分離されて設けられることを特徴とする請求項３記載の多方向風力発電機。
【請求項６】
前記回動翼板は横方向に多数分離され、それぞれ独立的に回動することを特徴とする請求項１記載の多方向風力発電機。
【請求項７】
前記中心軸の一側中央部を切開して分離される分離軸を備え、前記分離軸の両端をフランジによりボルト結合し、前記中心軸に再結合されるように構成されることを特徴とする請求項１記載の多方向風力発電機。
【発明の詳細な説明】
【技術分野】
【０００１】
本発明は風力発電機に関するものであり、より詳しくは、風を最大限活用し、風の抵抗を低減させて発電効率を向上させ、堅固であり、大型化が可能であり、製作および修理が簡単にできる多方向風力発電機に関するものである。
【背景技術】
【０００２】
一般的に風力発電機は自然の風を利用して、電力を得る装置として、その構造は次のようである。
【０００３】
図１０は一般の風力発電機を示す正面図である。
【０００４】
前記図に示すように一般の風力発電機は、風により回転される回転翼（５０１）と、前記回転翼（５０１）の回転力により電力を生産する発電機（５００）と、前記発電機（５００）および回転翼（５０１）を支持する支持フレーム（６００）とで構成される。
【０００５】
しかし、前述の風力発電機は、前記発電機の回転軸から放射状に所定の長さを有する回転翼を複数有しているが、前記回転翼の一部分に風が当たって回転する場合、前記回転翼の他部分は、自重により前記回転翼の回転を妨げ、即ち、回転軸から前記回転翼の一端に行くほど前記回転翼の回転距離には差が出てしまい、同様な角度を回転する一体型の回転翼は、その一側と他側において回転力が互いに相殺され、風力発電機の効率を減少するという問題点があった。
【０００６】
また、風が前記回転翼の正面に当たらなければ前記回転翼が回転できなくなり、風の特性上、風向が一定でないため、前記回転翼を風の方向に応じて回転させるための別の装置が必要となるなど、製造上の問題点があった。
【０００７】
本出願人が先出願した大韓民国特許出願第２００２-００５７９５２号では、前記の一般の風力発電機の問題点を解決できる多方向風力発電機を発明した事がある。
【０００８】
前記の一般の多方向風力発電機の構成は、地面に垂直に設けられた中心軸上に順次嵌められ、回転するように直径が互いに異なる多数の回動軸の外周面に、それぞれ長さが異なる上下支持フレームを多数備え、前記上下支持フレーム上の一端に風の影響を受けて、回動又は停止して、回動軸を回転させる回動翼板を備え、
前記上下支持フレーム上に設けられて前記回動翼板の回動を制御する回動制御手段と、前記ベースフレームの中心軸下部に設けられ、前記回転軸の回転力を所定のギア組み合わせで伝達する回転力伝達手段と、前記回転力伝達手段により回転力を伝達されて発電する発電機とを備えてなり、
前記中心軸の下部には回動翼板により発生した回転力をギア組み合わせで伝達し、前記中心軸に挿入される前記回動軸の一端に設けられた駆動ギアと、前記駆動ギアにそれぞれ比が異なって噛み合う従動ギアを有する従動ギア軸と、前記回動軸の一端および駆動ギア、従動ギア軸などが内蔵されたギアケースの下部の一側を貫通して、前記従動ギア軸の一端に設けられた伝達ギアと、前記伝達ギアと噛み合って発電機に回転力を伝達する発電ギアとで構成される。
【０００９】
このような多方向風力発電機は、所定の方向から風が吹いてくると、多数の回動翼板は風の影響を受けて、回動又は回動制御手段により停止し、回動翼板の停止時に風の影響で回動軸は回転し、前記回動翼板が風の影響により回動時に風の抵抗が減少され、回動軸の回転力の減少を低減させる。
【００１０】
前記回動軸が回転することにより、 回動軸の回転力は、その下端に設けられた多数のギア組合により発電機に伝達することにより発電を行うようになる。
【００１１】
しかし、このような多方向風力発電機は、多数の回動軸に設けられる前記上下支持フレーム上の一端に風の影響を受けて回動又は停止し、前記回動軸を回転させる多数の回動翼板が、前記上下支持フレーム上に同一方向に回動又は停止するように回動制御手段が設けられ、連接する多数の回動翼板が前記回動軸を中心に一側方向から動時に風の抵抗を受けて、瞬間的な抵抗面積の増加により回転力が減少する問題点があった。
【００１２】
また、回動軸の上下端部に水平方向に伸びた上下支持フレームを設置する際、自体重量およびその一端に設けられた回動翼板の重量によりその長さに制限を受け、風力発電機の大型化が困難であり、また別の支持台が設けられていないため、激しい風により破損する危険性を内包していた。
【発明の開示】
【発明が解決しようとする課題】
【００１３】
本発明は、前述の問題点を解決するために創案されたものであって、本発明の目的は、さまざまな方向から吹いてくる風にも発電することができ、また、発電時、風の抵抗を最大限低減させることで、発電機の効率を向上させることができ、上下支持フレームを支持する別の支持台を備え、風力発電機の堅固さを高めることができる多方向風力発電機を提供することにある。
【課題を解決するための手段】
【００１４】
前記の目的を達成するための本発明の構成は、地面に垂直に設けられた中心軸上に回転可能となるように、挿入される多数の回動軸の外周面上に所定の半径を有して設けられる上下支持フレームと、 前記上下支持フレームの外側に設けられて風により回動又は停止し、前記回動軸を回転させる回動翼板と、前記回動翼板の回動角度を制御する回動制御手段と、前記回動軸の下部に設けられて回動軸の回転力を伝達する駆動ギアと、前記駆動ギアの回転力を伝達される従動ギヤを備える従動ギア軸と、前記従動ギア軸の回転力を伝達されて発電する発電機を備えてなる多方向風力発電機において、多数の回動軸で連接する回動軸の回動翼板が、風によりそれぞれ逆方向に回動するように、前記回動翼板が前記回動制御手段によりそれぞれ他面が干渉するようにすることで、前記回動軸の下部に設けられて前記駆動ギア、従動ギア、従動ギア軸が内蔵されるギアケースと、前記回動軸の下部に設けられた駆動ギアの上下面に位置して、一側が前記ギアケースの内面に固定されて前記回動軸を支持するベアリング体と、前記連接する回動軸の回動翼板が風により逆方向回動に連接する回動軸が逆方向回転時、逆方向に回転する回動軸の回転方向を変えるように、逆方向回動軸の下部駆動ギアに噛み合うアイドルギアをさらに含むことを特徴とする。
【００１５】
さらに好ましくは、前記上下支持フレームを支持して堅固にする支持フレーム支持手段がさらに設けられることを特徴とする。
【発明を実施するための最良の形態】
【００１６】
以下、添付された図面を参照して本発明の多方向風力発電機に対して詳しく説明する。
【００１７】
図１は本発明に係る多方向風力発電機を示す概略斜視図であり、図２は本発明に係る多方向風力発電機を示す要部断面図であり、図３は本発明に係る多方向風力発電機のギアケース内部を示す断面図であり、図４は図３のAA線に係る要部断面図であり、図５は本発明に係る多方向風力発電機の動作状態を示す概略図であり、図６は本発明に係る多方向風力発電機の支持フレームおよび回動翼板を示す斜視図であり、図７は本発明に係る多方向風力発電機の支持フレームおよび回動翼板の他の例を示す斜視図であり、図８、９は本発明に係る多方向風力発電機の支持フレームおよび回動翼板を示す横断面図である。
【００１８】
前記の図に示すように本発明は、地面に垂直に設けられる中心軸（１０）を備え、前記中心軸（１０）を中心に所定の半径を有する円形に沿って、一定の間隔で地面に固定される多数の支柱（１８０）を備え、前記支柱（１８０）は地面に固定された支柱ワイヤ（１９０）により堅く固定され、前記中心軸（１０）と前記支柱（１８０）の間に連結される外部フレーム（２００）を備え、前記中心軸（１０）を支持させる。
【００１９】
前記中心軸（１０）に順次嵌められるそれぞれの回動軸（２０）の外周面に、多数設けられる上下支持フレーム（３０）の先端に風の影響を受けて横方向に回動する回動翼板（４０）と、前記上下支持フレーム（３０）上に前記回動翼板（４０）の回動を制御する回動制御手段であるワイヤ（５０）、回動停止突起（６０）、回動防止バー（７０）が設けられ、互いに連接する前記上下支持フレーム（３０）の先端に設けられた回動翼板（４０）の回動が互いに逆方向になるように、前記回動制御手段であるワイヤ（５０）、回動停止突起（６０）、回動防止バー（７０）が連接する上下支持フレーム（３０）先端に設けられた回動翼板（４０）を順次それぞれ他の面を干渉するように備える。
【００２０】
すなわち、本発明の実施例を説明すれば、前記中心軸（１０）に順次嵌められる第１、２、３、４回動軸（２０ａ、２０ｂ、２０ｃ、２０ｄ）を設けて、前記第１、２、３、４回動軸（２０ａ、２０ｂ、２０ｃ、２０ｄ）の外周面にそれぞれ多数の上下支持フレーム（３０）を備え、前記第１、２、３、４回動軸（２０ａ、２０ｂ、２０ｃ、２０ｄ）の外周面に設けられる上下支持フレーム（３０）の数は、それぞれ第１回動軸（２０ａ）には４個、第２回動軸（２０ｂ）には５個、第３回動軸（２０ｃ）には６個、第４回動軸（２０ｄ）には７個を備える。
【００２１】
一方、回動翼板（４０）の広さに応じて上下支持フレーム（３０）、第１、２、３、４回動軸（２０a、２０b、２０c、２０d）をそれぞれ個数を増減して製作することが可能である。
【００２２】
また、前記第１、２、３、４回動軸（２０a、２０b、２０c、２０d）の多数の上下支持フレーム（３０）の上部は、中心軸（１０）上に嵌められる回動ベアリング体（８０）の外周面に固定する。
【００２３】
前記それぞれの上下支持フレーム（３０）の先端には、風の影響を受ける回動翼板（４０）を備え、前記回動翼板（４０）の回動を制御する回動防止バー（７０）とワイヤ（５０）が前記上下支持フレーム（３０）上に設けられる。
【００２４】
前記回動防止バー（７０）は、前記上下支持フレーム（３０）の間に垂直に連結して設置され、前記ワイヤ（５０）は、前記回動翼板（４０）の一側と回動防止バー（７０）を連結して備える。
【００２５】
特に、第２、４回動軸（２０b、２０d）上下支持フレーム（３０）に設けられる回動防止バー（７０）とワイヤ（５０）、回動停止突起（６０）は、回動翼板（４０）の同一面を干渉するようにして、第１、３回動軸（２０a、２０c）上下支持フレーム（３０）に設けられる回動防止バー（７０）とワイヤ（５０）、回動停止突起（６０）は、前記第２、４回動軸（２０b、２０d）の回動翼板（４０）と反対方向である第１、３回動軸（２０a、２０c）の回動翼板（４０）の一面を干渉するようにする。
【００２６】
なお、前記第１、２、３、４回動軸（２０a、２０b、２０c、２０d）の下端には、前記第１、２、３、４回動軸（２０a、２０b、２０c、２０d）の回転力を伝逹する駆動ギア（９０）をそれぞれ備え、前記駆動ギア（９０）の回転力を伝達される従動ギア（１００）を備え、前記第１、３回動軸（２０a、２０c）および第２、４回動軸（２０b、２０d）の回転方向が逆方向であるので、前記第１、３回動軸（２０a、２０c）の駆動ギア（９０）又は第２、４回動軸（２０b、 ２０d）の駆動ギア（９０）のいずれかの二つの駆動ギア（９０）には、回転方向を変えるアイドルギア（１１０）をそれぞれ備える。
【００２７】
前記駆動ギア（９０）および従動ギア（１００）、アイドルギア（１１０）が内蔵されるように、前記多数の回動軸（２０）の下部にギアケース（１２０）を備え、前記回動軸（２０）が嵌められる中心軸（１０）は、前記ギアケース（１２０）の底面にナット（１３０）により固定され、前記従動ギア（１００）を一定間隔で備えた従動ギア軸（１４０）は、前記ギアケース（１２０）の一側を貫通して備え、貫通された前記従動ギア軸（１４０）には、伝達ギア（１５０）が設けられて発電機（１６０）に回転力を伝達する。
【００２８】
また、前記ギアケース（１２０）内には、一定量のオイルを貯蔵して、これをオイルポンプ（２８０）により前記駆動ギア（９０）、従動ギア（１００）、アイドルギア（１１０）の接触部分に撒くことによって、各種ベアリングとギアの回転を円滑にし、過熱を防止する。
【００２９】
また、前記第１、２、３、４回動軸（２０a、２０b、２０c、２０d）の下端に設けられた前記それぞれの駆動ギア（９０）の上下面には、前記第１、２、３、４回動軸（２０a、２０b、２０c、２０d）および前記ギアケース（１２０）の内面に固定されるベアリング体（１７０）を備え、前記第１、２、３、４回動軸（２０a、２０b、２０c、２０d）を支持し、特に前記第４回動軸（２０d）の駆動ギア（９０）上面に設けられるベアリング体（１７０）は、前記ギアケース（１２０）の外部に固定され、前記それぞれの駆動ギア（９０）下面に設けられたベアリング体（１７０）の下面には、ナット（１３０）を嵌めて、より堅固に前記第１、２、３、４回動軸（２０a、２０b、２０c、２０d）を支持する。
【００３０】
また、前記第１、２、３、４回動軸（２０a、２０b、２０c、２０d）の下部一側を屈曲して、直径を減少させた屈曲突起 （２１）を形成し、前記屈曲突起（２１）がベアリング体（１７０）のベアリングに安着させることにより、第１、２、３、４回動軸（２０a、２０b、２０c、２０d）を支持することもできる。
【００３１】
前記中心軸（１０）の上端には、上下支持フレームの離脱を防止するように離脱防止手段であるナット（１３０）を備え、外部フレーム（２００）が前記中心軸（１０）の上端に固定されて、前記中心軸（１０）が地面に垂直に維持されるようにする。
【００３２】
なお、前記上下支持フレーム（３０）を支持するように、一端は前記中心軸（１０）に回転可能に固定され、他端は前記上下支持フレーム（３０）の上下部一側にそれぞれ固定される上下端支持台（２１０）を備え、前記上下支持フレーム（３０）の上下方向を支持できるようにする。
【００３３】
また、前記上下支持フレーム（３０）を補強するために前記回動ベアリング体（８０）および回動軸（２０）と、前記上下支持フレーム（３０）を連結する多数の補強台（２２０）を備える。
【００３４】
また、前記回動軸（２０）の外周面に沿って多数の設けられた、前記上下支持フレーム（３０）の間に別の「▼□▲」字形の補助支持フレーム（２３０）を備え、前記上下支持フレーム（３０）の内外周面および前記補助支持フレーム（２３０）の内外周面を横方向に取り囲んで設けられる支持横部材（２４０）を備え、前記上下支持フレーム（３０）の側方向を支持できるようにする。
【００３５】
また、前記「▼□▲」字形の補助支持フレーム（２３０）を備えず、前記上下支持フレーム（３０）の内外周面を取り囲むように支持横部材（２４０）を設けることができるが、前記支持横部材（２４０）により前記回動翼板（４０）の回動が妨害されるので、前記支持横部材（２４０）に前記回動翼板（４０）が妨害されないように、前記回動翼板（４０）を多数個に分離して形成することもできる。
【００３６】
前記支持横部材（２４０）を前記上下支持フレーム（３０）および補助支持フレーム（２３０）の外周面を取り囲んで設ける際、前記支持横部材 （２４０）の締まる力により、前記上下支持フレーム（３０）および補助支持フレーム（２３０）が曲がることを防止するために、前記支持横部材（２４０）が通る前記上下支持フレーム（３０）の内側には、前記回動翼板（４０）の回動を所定位置で防止する回動防止バー（７０）と連結固定される曲がり防止台（２５０）を備え、前記支持横部材（２４０）が通る前記補助支持フレーム（２３０）の内側にも曲がり防止台（２５０）を格子形状に設ける。
【００３７】
また、回動軸（２０）の外周面に多数設けられた上下支持フレーム（３０）の回動防止バー（７０）を互いに連結支持する交差支持バー（２６０）を備える。これは「X」形態に設けられて両端が前記連接する回動防止バー（７０）に固定される。
【００３８】
一方、前記回動翼板（４０）の回動角度を制御するワイヤ（５０）以外に、上下支持フレーム（３０）の一端両側に前記回動翼板（４０）の回動時、前記回動翼板（４０）の一側に当たって回動が停止するようにする回動停止突起（６０）を形成することもできる。
【００３９】
前記回動翼板（４０）が支持横部材（２４０）により回動可能となるように多数分離して設けられる場合、それぞれの分離された回動翼板（４０）が独立的に回動し、前記上下支持フレーム（３０）内側に横方向に設けられた曲がり防止台（２５０）に突設された回動停止突起（６０）により、それぞれの分離された回動翼板（４０）の回動角度を制御する。
【００４０】
また、前記補助支持フレーム（２３０）上にも回動翼板を設置して風の影響を受けることが可能である。
【００４１】
一方、前記中心軸（１０）の一側中央部を切開して分離するように分離軸（２７０）を形成し、前記分離軸（２７０） 両端をフランジ（２７１）によりボルト結合し、前記中心軸（１０）に分離又は結合可能となるように構成することもできる。これは多方向風力発電機の故章により修理時、前記上下支持フレーム（３０）をいちいち前記中心軸（１０）から完全分離して、修理しなければならない問題点を解決するためのものである。
【００４２】
また、多方向風力発電機の製作時にも前記中心軸（１０）の分離軸を分離し、前記多数の上下支持フレーム（３０）の下部が結合された回動軸（２０）を順次一つずつ結合して、先ず固定した後、前記上下支持フレーム（３０）の上部が結合された回動ベアリング体（８０）は、分離軸（２７０）により分離された中心軸（１０）に容易に挿入して固定することができ、製作も容易である。
【００４３】
前記のように構成された本発明は、所定方向から風が吹いてくると、回動軸の一側の回動翼板は、風により回動防止バーに密着されて風の進行方向に流動し、回動軸の他側の回動翼板は風の抵抗を減少させるために回動して風の進行反対方向に自由に流動し、回動軸の回転が円滑に行われる。
【００４４】
前記回動翼板が風により回動時、前記回動防止バーに連結固定されたワイヤに一側が連結固定され、前記回動翼板の回動角を制御して、また、回動停止突起により前記回動翼板の一側が干渉されて回動角が制御され得る。
【００４５】
一方、中心軸には多数の回動軸が嵌められ、互いに連接する回動軸に設けられた回動翼板は、互いに逆方向に回動するように備え、結局には連接する回動軸が互いに逆方向に回転する。
【００４６】
すなわち、第１、２、３、４回動軸が設けられると、第１、３回動軸は逆方向に回転し、第２、４回動軸は正方向に回転する。
【００４７】
前記中心軸に多数挿入された第１、２、３、４回動軸のうち、第１、３回動軸に設けられた回動翼板が風により回動防止バーに密着して流動する時、前記第１、３回動軸の回動翼板の流動区域の間に設けられる第２、４回動軸の回動翼板は、風の抵抗を減少させて逆流動する。
【００４８】
したがって、中心軸を中心に両側に多数の回動軸により一定距離を持って設けられる、第１、２、３、４回動軸の回動翼板が一度に風の抵抗を受けず、一部は風の影響で流動することで、風の抵抗を最小化して風を最大限利用することができる。
【００４９】
また、風の影響以外にも海水の流れにより影響を受けることができるので、海水を利用した発電にも使用可能である。
【００５０】
海水を利用する場合には、中心軸の下端に設けられたギアケースが、上側に来るように本発明の風力発電機を逆に立て、この時、前記中心軸の上部に上下支持フレームの離脱を防止する離脱防止手段であるナットが締結され、回動軸はベアリング体が前記ギアケース内面に固定されて、中心軸および回動軸は離脱されず、本来の機能を果すことができる。
【００５１】
なお、風は高度によって風速が異なり、前記回動翼板が多数個に分離して独立的に回動し、 分離された回動翼板は重量が少なくなり、低い風速にも容易に回動する。
【００５２】
したがって、高度による異なる風速により、それぞれの分離された回動翼板が効率的に回動し、風の抵抗を最小化するので、回動軸の回転力を向上させることができる。
【００５３】
また、前記上下支持フレームを上下端支持台により堅固に支持して設けられる、前記上下支持フレームの横方向の長さに制限を受けなく、前記上下支持フレームの重量による垂れや上下方向の流動を防止する。
【００５４】
そして、前記上下支持フレームの外周面を囲みながら設けられる支持横部材により、前記上下支持フレームの横方向の振動を防止する。
【００５５】
また、前記回動軸の大きな回転力により回転すると、ギアケース内の駆動ギアは回動軸の回転力を従動ギアに伝達し、前記回動軸の回転方向が互いに逆方向であるので、逆方向に回転する回動軸の駆動ギアにはアイドルギアにより回転方向が変わって従動ギアに伝達される。
【００５６】
前記従動ギアにより回転する従動ギア軸は、伝達ギアにより回転力を発電機に伝達して発電する。
【００５７】
また、風力発電機の故障による修理時、特に中心軸に挿入されて回転する回動ベアリング体および回動軸の修理は、前記中心軸上に分離されて結合される各種回動ベアリング体、フランジおよび分離軸を中心軸から分離した後、修理しようとする回動ベアリング体および回動軸を、前記上下支持フレームをいちいち前記中心軸から分離しなくても、前記分離軸が離脱された中心軸の中央部を介して容易に交換、修理が可能となる。
【産業上の利用可能性】
【００５８】
以上のように、本発明は、風向によらずに発電をすることができると共に、風を最大限利用し、風の抵抗を極力少なくして発電機の効率を向上させ、上下支持フレームを支持する別の支持台を備え、風力発電機の堅固さを増強させ、風力発電機の大型化が可能である。
【図面の簡単な説明】
【００５９】
【図１】本発明に係る多方向風力発電機を示す概略斜視図。
【図２】本発明に係る多方向風力発電機を示す要部断面図。
【図３】本発明に係る多方向風力発電機のギアケース内部を示す断面図。
【図４】図３のAA線に係る要部断面図。
【図５】本発明に係る多方向風力発電機の動作状態を示す概略図。
【図６】本発明に係る多方向風力発電機の支持フレームおよび回動翼板を示す斜視図。
【図７】本発明に係る多方向風力発電機の支持フレームおよび回動翼板の他の例を示す斜視図。
【図８】本発明に係る多方向風力発電機の支持フレームおよび回動翼板を示す横断面図。
【図９】本発明に係る多方向風力発電機の支持フレームおよび回動翼板を示す横断面図。
【図１０】一般の風力発電機を示す正面図。
【図１】
2007526417.tif 000003
【図２】
2007526417.tif 000004
【図３】
2007526417.tif 000005
【図４】
2007526417.tif 000006
【図５】
2007526417.tif 000007
【図６】
2007526417.tif 000008
【図７】
2007526417.tif 000009
【図８】
2007526417.tif 000010
【図９】
2007526417.tif 000011
【図１０】
2007526417.tif 000012
【国際調査報告】
2007526417.tif 000013